(57)【要約】【課題】  容易に内容を把握することができる装丁物を提供する。【解決手段】  装丁物１の見開き左右ページ２ｎｓ、２（ｎ−１）に、英単語４ｎ、４（ｎ＋１）などの視覚情報を表示する際、左右ページ２ｎｓ、２（ｎ−１）で、視覚情報を反転させて表示する。そして、表示される視覚情報を特定の規則（アルファベット順）でに基づいて配列し、その配列方向も左右で逆向きにする。また、配列される英単語４（ｎ−２）、４（ｎ−１）、４ｎ、４（ｎ＋１）は、片側（右ページ又は左ページ）ページのみに、連続して配列し、該片側ページのみに視線を固定させたまま、単語の検索ができる構成とした。【選択図】        図２
2006159825.tif 000002
【特許請求の範囲】
【請求項１】
表裏面に視覚情報が表示されたシートと、
重ねられた複数の前記各シートの一端辺を接続する接続部とを有し、
任意の隣接するシートを開いた状態で、開かれたシート面に表示された視覚情報が視認できるように構成された装丁物であって、
同一方向に向いたシート面に表示された視覚情報は、特定の規則に従って、シートの重ねられた順に表示されていることを特徴とする装丁物。
【請求項２】
前記各シートにおいて、表面に表示された視覚情報の表示姿勢と、裏面に表示された視覚情報の表示姿勢とが、接続部が設けられた一端辺に平行な向きに沿って反転して表示されている請求項１に記載の装丁物。
【請求項３】
表裏面に視覚情報が表示されたシートと、
重ねられた複数の前記各シートの一端辺を接続する接続部とを有し、
任意の隣接するシートを開いた状態で、開かれたシート面に表示された視覚情報が視認できるように構成された装丁物であって、
前記各シートにおいて、表面に表示された視覚情報の表示姿勢と、裏面に表示された視覚情報の表示姿勢とが、接続部が設けられた一端辺に平行な向きに沿って反転して表示されていることを特徴とする装丁物。
【請求項４】
同一方向に向いたシート面に表示された視覚情報は、特定の規則に従って、シートの重ねられた順に表示されている請求項３に記載の装丁物。
【請求項５】
同一方向に向いたシート面には複数の視覚情報が表示され、
該複数の視覚情報は、前記特定の規則に従った配列方向で配置されており、
裏面に表示される複数の視覚情報の配列方向は、表面の配列方向に対して逆方向となっている請求項１〜４のいずれか１に記載の装丁物。
【請求項６】
視覚情報は文字である請求項１〜５のいずれか１に記載の装丁物。
【請求項７】
視覚情報は、単語である請求項６に記載の装丁物。
【請求項８】
単語は、英語であり、特定の規則は、アルファベット順である請求項７に記載の装丁物。
【発明の詳細な説明】
【技術分野】
【０００１】
この発明は、装丁物に係り、詳しくは片手でページ繰りが容易にできる装丁物に関するものである。
【背景技術】
【０００２】
従来の本に代表される装丁物では、複数の紙が重ねられて、重ねられた紙の一端辺が綴じられた状態に装丁され、各シートの表裏面に対して、装丁された最初のシートから順番に文章や図柄などが印刷されている。 
例えば、縦書で文章が綴られている小説本では、右のページから左のページへ順に文章が配列され、物語が進行していく。
【０００３】
また、英語の辞書等では、横書で説明文が印刷され、見出しとなる単語は、アルファベット順に、縦に配列されており、各単語毎に、その意味を示す文章が印刷されている。そして、見開きページでは、左のページから右のページへ順に単語が配列されている。 
見開きでは、両側のページを見る必要がある。このように、従来では、見開きの左右のページに連続して繋がりのある情報が記載されていた。
【特許文献１】特開２００３−３０５９７２。
【発明の開示】
【発明が解決しようとする課題】
【０００４】
しかし、片手で本を持った状態でページ繰っていくと、片側のページは読みやすいが、手で持たれた側のページは見難い。特に、辞書で単語を検索する場合、片側のページを見ながら検索し、検索している単語に近いところで、ページを一枚ずつめくって、両側のページを目で確認しながら進んでいくといった手法が取られるが、手で持っている側のページは見難く、単語を見過ごす場合がある。
【０００５】
また、小説など、文章を連続して読んでいく場合には、見開きで両側のページに目を通す必要があり、視線を左右のページへ交互に移すため、目が疲れる原因となるとともに、手に持たれている側のページでは、手に隠された部分は読むことが出来ない。 
本発明は、容易に内容を把握することができる装丁物を提供することを目的としている。
【課題を解決するための手段】
【０００６】
以上のような問題を解決する本発明は、以下のような構成を有する。 
（１）  表裏面に視覚情報が表示されたシートと、
重ねられた複数の前記各シートの一端辺を接続する接続部とを有し、
任意の隣接するシートを開いた状態で、開かれたシート面に表示された視覚情報が視認できるように構成された装丁物であって、
同一方向に向いたシート面に表示された視覚情報は、特定の規則に従って、シートの重ねられた順に表示されていることを特徴とする装丁物。
【０００７】
（２）  前記各シートにおいて、表面に表示された視覚情報の表示姿勢と、裏面に表示された視覚情報の表示姿勢とが、接続部が設けられた一端辺に平行な向きに沿って反転して表示されている上記（１）に記載の装丁物。
【０００８】
（３）  表裏面に視覚情報が表示されたシートと、
重ねられた複数の前記各シートの一端辺を接続する接続部とを有し、
任意の隣接するシートを開いた状態で、開かれたシート面に表示された視覚情報が視認できるように構成された装丁物であって、
前記各シートにおいて、表面に表示された視覚情報の表示姿勢と、裏面に表示された視覚情報の表示姿勢とが、接続部が設けられた一端辺に平行な向きに沿って反転して表示されていることを特徴とする装丁物。
【０００９】
（４）  同一方向に向いたシート面に表示された視覚情報は、特定の規則に従って、シートの重ねられた順に表示されている上記（３）に記載の装丁物。
【００１０】
（５）  同一方向に向いたシート面には複数の視覚情報が表示され、
該複数の視覚情報は、前記特定の規則に従った配列方向で配置されており、
裏面に表示される複数の視覚情報の配列方向は、表面の配列方向に対して逆方向となっている上記（１）〜（４）のいずれか１に記載の装丁物。
【００１１】
（６）  視覚情報は文字である上記（１）〜（５）のいずれか１に記載の装丁物。
【００１２】
（７）  視覚情報は、単語である上記（６）に記載の装丁物。
【００１３】
（８）  単語は、外国語であり、特定の規則は、アルファベット順である上記（７）に記載の装丁物。
【発明の効果】
【００１４】
請求項１に記載の本発明によれば、見開き状態で、片側ページに表示された情報のみを把握して、ページを繰って行けば、連続した情報を漏れなく把握できるので、見開きの左右ページに記載されている場合に比較して、視線を動かす領域が半分となり、視認が容易となる。
【００１５】
また、片手で本発明の装丁物を持って、ページを繰った場合には、持っている手によって覆われた見開き片側のページを視認する必要がない。このため、片手のみで行う、ページを繰る操作が容易となるとともに、各ページに記載された情報を検索する際、見逃しか少なく容易に実行できる。
【００１６】
請求項２に記載の本発明によれば、見開き状態における一方のページと他方のページで、視覚情報の表示姿勢が逆になっているので、本体を反転して使用することにより、同じ側のページ（右側又は左側）を常に見開いて見ることができる。さらに、同じ側の手（左手又は右手）を常に使用して、ページを繰ることができる。例えば、常に左手を用いてページを繰ることができれば、常に右手で筆記具を使用することができる。
【００１７】
請求項３に記載の本発明によれば、見開き状態における一方のページと他方のページで、視覚情報の表示姿勢が逆になっているので、本体を反転して使用することにより、同じ側のページ（右側又は左側）を常に見開いて見ることができる。
【００１８】
請求項４に記載の本発明によれば、見開き状態で、片側ページに表示された情報のみを把握して、ページを繰って行けば、連続した情報を漏れなく把握できるので、見開きの左右ページに記載されている場合に比較して、視線を動かす領域が半分となり、視認が容易となる。さらに、同じ側の手（左手又は右手）を常に使用して、ページを繰ることができる。例えば、常に左手を用いてページを繰ることができれば、常に右手で筆記具を使用することができる。
【００１９】
請求項５に記載の本発明によれば、本発明の装丁物を、シートの一方の面（例えば、表面）の視覚情報を、シートをめくりながら順に検索する場合と、他方の面（例えば、裏面）を検索する場合とでは、相互に、装丁物本体を反転させて使用する。
【００２０】
そして、表裏のページにおいて、視覚情報の配列方向が逆に設定されているので、見開いた場合には、左右のページにおいて、視覚情報の配列方向は逆になっている。特定の視覚情報を視覚によって検索する場合には、順方向に配列されているページ（例えば、表面）のみに視線を向け、配列方向に沿って視点を移していく。視覚情報が逆方向に配列されているページ（裏面）において、特定の視覚情報を検索する場合には、装丁物を上下反転させる。これにより、左右のページの配列方向は、順方向と逆方向が反転し、反転させる前と同じ方向に視線を移動させることにより、逆方向に配列されているページ（裏面）の検索が可能となる。これにより、視線の検索方向は変わらず、また、見開きページにおいて、片側のページにのみ視線を向けて検索できるため、被検索情報を見逃し難くなる。
【００２１】
請求項６に記載の本発明によれば、視覚情報が文字である場合に、文字の理解が容易となる。 
請求項7に記載の本発明によれば、視覚情報は単語であり、単語によって構成される文章や物語を、順を追って読み進むことが容易となる。
【００２２】
請求項８に記載の本発明によれば、外国語の単語をアルファベット順で配列する事典や辞書等においては、見開きページにおける片側のページのみに視線を向けて、検索すればよいので、被検索語の抽出が容易となる。
【発明を実施するための最良の形態】
【００２３】
以下、本発明の装丁物について、添付図面に基づいて詳細に説明する。図１は、装丁物の分解全体斜視図である。本発明の装丁物１は、同一形状の多数のシート２１、２２、２３・・・２ｎを重ね、各シート２１、２２、２３・・・２ｎの一端辺３１１、３１２、３１３・・・３１ｎを綴じることにより構成されている。この実施形態では、シート２１、２２、２３・・・２ｎの形状は矩形であり、長辺の一方が接続部３として綴じられている。接続部３としての綴じる手段は、公知の方法が用いられ、例えば、所謂ルーズリーフなどのように、各シートに同時に挿通する複数の環体によってシートを綴じる構成としてもよい。
【００２４】
シート２１、２２、２３・・・２ｎは紙、フィルムその他のシート体である。各シート２１、２２、２３・・・２ｎは、それぞれ表面と裏面とを有し、重ね合わせた状態で、同じ側の面をそれぞれ表面、裏面とする。この実施形態では、図１中、上側面を表面２１ｓ、２２ｓ、２３ｓ・・・２ｎｓ、下側面を裏面２１ｒ、２２ｒ、２３ｒ・・・２ｎｒとする。表面と裏面には、視覚情報が印刷などの方法によって表示されている。
【００２５】
以下、本発明で装丁物が英和辞典である場合を実施形態として説明する。図２は、英和辞典を見開き状態とした場合の全体模式図である。以上のようにシート２１、２２・・が重ねられて装丁された英和辞典では、シートの表面と裏面に、視覚情報である、英単語4の見出し語と、その日本語訳５が、それぞれ表示されている。見開いた状態では、図２に示されているように、右側のページがシートの裏面２（ｎ−１）ｒ、左側のページがシートの表面２ｎｓとなる。各ページに記載される見出し語の英単語４ｎ、４（ｎ＋１）・・・は、綴じられている側の辺に対して反対側の端辺側において、端辺に沿って、配列されており、この実施形態では、アルファベット順に配列されている。
【００２６】
ページから次のページへの英単語の配列順も、アルファベット順となっており、ページ２（ｎ−１）Ｓの最後に記載された英単語「ｃｏｎｔ」４（ｎ−１）の次の単語は、アルファベット順で配列すると、「ｃｏｎｔａｃｔ」４ｎであり、その英単語「ｃｏｎｔａｃｔ」４ｎが、次のページ２ｎｓの最初の見出し語として配列されている。つまり、隣接するページ間においても、アルファベット順で配列するという配置規則が採用されている。この実施形態では、複数の重ねられた全シート２１〜２Ｌまでの中で、シート２Ｌの表面２Ｌｓ（図示せず）が、アルファベット配列の先頭単語が記載され、表面２（Ｌ−１）ｓ、２（Ｌ−２）ｓ・・・２ｎｓ・・・２１ｓと、順に単語が記載される。
【００２７】
このように片側のページ（例えば、奇数ページ又は遇数ページの一方）に、特定の規則に則った視覚情報が記載されている場合に、所望の情報を検索することが容易となる。例えば、「ｃｏｎｔａｉｎｅｒ」なる英単語を検索するには、左側のページにのみ視線を固定して、ページを送っていけば、容易に単語を引き当てることができる。従来の様に、見開きページの左右に視線を移動させることが不要となるからであり、目に対する負担も軽減される。
【００２８】
また、例えば、アルファベット順で配列した場合、後半に含まれる「Ｍ」で始まる単語以降は、シートの裏面・・・２（ｎ−１）、２ｎ、２（ｎ＋１）に記載される。そして、装丁物１を見開いた状態で、シートの裏面が左側のページとなるように、装丁物１を見開き状態で反転させて使用する。そして、単語配列の順序は、アルファベット順であるが、記載するページの順序は、２１ｒ、２２ｒ・・・２（ｎ−１）ｒ、２ｎｒ・・・２（Ｌ−１）ｒ、２Ｌｒとなり、前半の単語配列方向とは、逆となる。また、各ページに単語を配列する方向も同様に、表面に記載されている配列方向に対して逆方向となっており、図示の例では、「ｒｅｓｔ」４ｍ、「ｒｅｓｔ」４（ｍ＋１）「ｒｅｓｔａｇｅ」４（ｍ＋２）の順（アルファベット順）に配列されている。 
このような構成とすることによって、使用者は、常に見開き左側のページに視線を固定して単語を検索できるので、検索が容易となる。
【００２９】
他の実施形態としては、見開き右側のページ２１ｒ、２２ｒ・・・２（ｎ−１）ｒ、２ｎｒ・・・２（Ｌ−１）ｒ、２Ｌｒでの単語の記載を反転させず、左側のページと同じ向きとし、ページの重ね合わせ順序を、左側のページに対して逆にした構成としてもよい。この場合には、装丁物１を反転する必要がなくなり、ページ繰りの方向が逆向きとなる。
【００３０】
また、日本語辞書の場合には、英単語の代りに日本語の単語を５０音順に配置することにより、同様の効果を発揮させることができる。さらに、英語、日本語に限らず、他の外国語についても同様に本発明の装丁物に用いることができる。
【００３１】
さらに、辞書のほか、小説、論文などのように、文章の配列によって、文章の表現する意味が連続的に関連付けられることにより、特定の思想や物語、主張等が表されているような、所謂読み物と言われる装丁物についても、同様な構成とすることができる。例えば、小説を記載する場合には、見開き右側のページに、縦書きで、右から左へ文章を記載し、左側のページをめくって、順に文章を読み進む。各ページに記載されている文章により小説が構成され、特定の規則は、この小説によって構成される。小説を半分読み進んだ後、残りの半分は、本発明の装丁物を反転させ、同様に右側のページを読み進めばよい。
【００３２】
このような辞書や小説などのほか、学習者の練度に応じて分けられた問題などを順に表示してもよい。例えば、将棋や囲碁の問題集において、入門編から上級編まで、順に各ページに記載し、ページ内においても、連度に応じて問題を配列する。この場合、特定の規則とは、問題（情報）の難易度となる。また、英単語を記憶するために編集された英単語帳などにおいても、試験に出題される頻度に応じて、頻度の高い順番で配列してもよい。この場合、特定の規則とは出願頻度となる。或は、中学１年で学習する単語から高校３年で学習する単語まで、学習する順番に配列されていてもよい。この場合には、特定の規則とは、学習する順番、或は、通常の会話で使用される頻度の順番ということとなる。
【００３３】
この他、各ページに記載される視覚情報としては、文字以外の図形や絵などであってもよい。例えば、漫画、地図、図面などである。
【図面の簡単な説明】
【００３４】
【図１】本発明の装丁物の全体分解斜視図である。
【図２】本発明の装丁物を見開き状態を示す全体図である。
【符号の説明】
【００３５】
１  装丁物
２１、２２・・・２ｎ・・・２Ｌ  シート
２１ｓ、２２ｓ・・・２ｎｓ・・・２Ｌｓ  表面
２１ｒ、２２ｒ・・・２ｎｒ・・・２Ｌｒ  裏面
４  見出し語
５  日本語訳文
【図１】
2006159825.tif 000003
【図２】
2006159825.tif 000004